(57)【要約】      （修正有）【課題】無線通信システムのユーザー機器において、ｉｎｔｅｒ‐ＲＡＴハンドオーバーを行う方法を提供する。【解決手段】方法は、ユーザー機器を他の通信システムから無線通信システムへとハンドオーバーするハンドオーバープロセスを実行する段階（４０２）と、ＲＲＣ接続再設定メッセージを受信する段階（４０４）と、ＲＲＣ接続再設定メッセージが無線リンク障害タイマーおよび定数に対するユーザー機器に固有の設定パラメーターを含んでいるか否かに応じて、ユーザー機器の無線リンク障害タイマーおよび定数を設定する段階（４０６）とを含む。【選択図】図４
2011010306.tif 000002
【特許請求の範囲】
【請求項１】
無線通信システムのユーザー機器において、異無線アクセス技術間（ｉｎｔｅｒ‐Ｒａｄｉｏ  Ａｃｃｅｓｓ  Ｔｅｃｈｎｏｌｏｇｙ（ｉｎｔｅｒ‐ＲＡＴ））ハンドオーバーを行う方法であって、
前記ユーザー機器を他の通信システムから前記無線通信システムへとハンドオーバーするハンドオーバープロセスを実行する段階と、
ＲＲＣ接続再設定メッセージを受信する段階と、
前記ＲＲＣ接続再設定メッセージが無線リンク障害タイマーおよび定数に対するユーザー機器に固有の設定パラメーターを含んでいるか否かに応じて、前記ユーザー機器の前記無線リンク障害タイマーおよび定数を設定する段階と
を備える方法。
【請求項２】
前記ユーザー機器に固有の設定パラメーターがインフォメーションエレメント（ＩＥ）ｒｌｆ‐ＴｉｍｅｒｓＡｎｄＣｏｎｓｔａｎｔｓである請求項１に記載の方法。
【請求項３】
前記ＲＲＣ接続再設定メッセージが前記ユーザー機器に固有の設定パラメーターを含んでいるか否かに応じて、前記ユーザー機器の前記無線リンク障害タイマーおよび定数を設定する段階において、前記ＲＲＣ接続再設定メッセージが前記ユーザー機器に固有の設定パラメーターを含んでいる場合に、前記ユーザー機器の前記無線リンク障害タイマーおよび定数を設定するのに前記ユーザー機器に固有の設定パラメーターを用いる請求項１または２に記載の方法。
【請求項４】
前記ＲＲＣ接続再設定メッセージが前記ユーザー機器に固有の設定パラメーターを含んでいるか否かに応じて、前記ユーザー機器の前記無線リンク障害タイマーおよび定数を設定する段階において、前記ＲＲＣ接続再設定メッセージが前記ユーザー機器に固有の設定パラメーターを含んでいない場合に、前記ユーザー機器の前記無線リンク障害タイマーおよび定数を設定するのに初期設定を用いる請求項１または２に記載の方法。
【請求項５】
前記無線リンク障害タイマーおよび定数は、タイマーＴ３１０、タイマーＴ３１１、定数Ｎ３１０および定数Ｎ３１１のうちの少なくとも１つを含む請求項１から４の何れか１項に記載の方法。
【請求項６】
前記無線通信システムは、ロングタームエボリューション（ＬＴＥ）無線通信システムである請求項１から５の何れか１項に記載の方法。
【請求項７】
前記ハンドオーバープロセスは、Ｅ‐ＵＴＲＡプロセスへのハンドオーバーである請求項１から６の何れか１項に記載の方法。
【請求項８】
無線通信システムのユーザー機器において、異無線アクセス技術間（ｉｎｔｅｒ‐Ｒａｄｉｏ  Ａｃｃｅｓｓ  Ｔｅｃｈｎｏｌｏｇｙ（ｉｎｔｅｒ‐ＲＡＴ））ハンドオーバーを行う通信装置であって、
プログラムを実行するプロセッサと、
前記プロセッサと接続され、前記プログラムを記憶するメモリとを備え、
前記プログラムは、
前記ユーザー機器を他の通信システムから前記無線通信システムへとハンドオーバーするハンドオーバープロセスを実行する段階と、
ＲＲＣ接続再設定メッセージを受信する段階と、
前記ＲＲＣ接続再設定メッセージが無線リンク障害タイマーおよび定数に対するユーザー機器に固有の設定パラメーターを含んでいるか否かに応じて、前記ユーザー機器の前記無線リンク障害タイマーおよび定数を設定する段階と
を備える通信装置。
【請求項９】
前記ユーザー機器に固有の設定パラメーターがインフォメーションエレメント（ＩＥ）ｒｌｆ‐ＴｉｍｅｒｓＡｎｄＣｏｎｓｔａｎｔｓである請求項８に記載の通信装置。
【請求項１０】
前記ＲＲＣ接続再設定メッセージが前記ユーザー機器に固有の設定パラメーターを含んでいるか否かに応じて、前記ユーザー機器の前記無線リンク障害タイマーおよび定数を設定する段階において、前記ＲＲＣ接続再設定メッセージが前記ユーザー機器に固有の設定パラメーターを含んでいる場合に、前記ユーザー機器の前記無線リンク障害タイマーおよび定数を設定するのに前記ユーザー機器に固有の設定パラメーターを用いる請求項８または９に記載の通信装置。
【請求項１１】
前記ＲＲＣ接続再設定メッセージが前記ユーザー機器に固有の設定パラメーターを含んでいるか否かに応じて、前記ユーザー機器の前記無線リンク障害タイマーおよび定数を設定する段階において、前記ＲＲＣ接続再設定メッセージが前記ユーザー機器に固有の設定パラメーターを含んでいない場合に、前記ユーザー機器の前記無線リンク障害タイマーおよび定数を設定するのに初期設定を用いる請求項８または９に記載の通信装置。
【請求項１２】
前記無線リンク障害タイマーおよび定数は、タイマーＴ３１０、タイマーＴ３１１、定数Ｎ３１０および定数Ｎ３１１のうちの少なくとも１つを含む請求項８から１１の何れか１項に記載の通信装置。
【請求項１３】
前記無線通信システムは、ロングタームエボリューション（ＬＴＥ）無線通信システムである請求項８から１２の何れか１項に記載の通信装置。
【請求項１４】
前記ハンドオーバープロセスは、Ｅ‐ＵＴＲＡプロセスへのハンドオーバーである請求項８から１３の何れか１項に記載の通信装置。
【発明の詳細な説明】
【関連出願】
【０００１】
本出願は、２００９年６月２９日出願の米国仮出願６１／２２１０９３号明細書、発明の名称「Ｍｅｔｈｏｄ  ａｎｄ ａｐｐａｒａｔｕｓ  ｆｏｒ  ｒｅｕｓｉｎｇ  ｕｎｕｓｅｄ  ＭＢＳＦＮ  ｓｕｂｆｒａｍｅｓ  ｉｎ  ａ  ｗｉｒｅｌｅｓｓ  ｃｏｍｍｕｎｉｃａｔｉｏｎ  ｓｙｓｔｅｍ」の利益を主張するものであり、前記出願の内容は、参照により本明細書に組み込まれる。
【技術分野】
【０００２】
本発明は、異無線アクセス技術間（ｉｎｔｅｒ‐Ｒａｄｉｏ  Ａｃｃｅｓｓ  Ｔｅｃｈｎｏｌｏｇｙ（ｉｎｔｅｒ‐ＲＡＴ））ハンドオーバーを行う方法および装置に関し、特に、無線通信システムのユーザー機器において、無線リンク障害タイマーおよび定数を効果的に設定できるようにｉｎｔｅｒ‐ＲＡＴハンドオーバーを行う方法および装置に関する。
【背景技術】
【０００３】
第３世代移動体通信システムにおいて確立されている高度な高速無線通信システムであるＬＴＥ無線通信システム（Ｌｏｎｇ  Ｔｅｒｍ  Ｅｖｏｌｕｔｉｏｎ  ｗｉｒｅｌｅｓｓ  ｃｏｍｍｕｎｉｃａｔｉｏｎ  ｓｙｓｔｅｍ）では、パケット交換伝送のみをサポートしており、また、媒体アクセス制御（ＭＡＣ）層および無線リンク制御（ＲＬＣ）層の両方を、基地局（ノードＢ）及び無線ネットワーク制御装置（ＲＮＣ）のそれぞれに、というよりも基地局のみといった一つの通信サイトに実装する場合が多く、システム構造が簡単になっている。
【０００４】
ＬＴＥシステムでは、ユーザー機器（ＵＥ）とノードＢとの間の接続が確立した後、この有効接続状態を維持するために、ユーザー機器が、例えば、ある物理層から連続した「非同期」の通知を検知するといったような無線障害を検知すると、ユーザー機器は、タイマーＴ３１０をトリガーする。連続した「非同期」の通知回数は、設定可能な定数Ｎ３１０によって規定される。タイマーＴ３１０が終了する前に、無線リンクに起きている問題から回復できない場合、ユーザー機器は、無線リンク障害（ＲＬＦ）が起きていると判断し、通常の接続状態を再確立するために、ＲＲＣ接続再確立プロセスをトリガーする。
【０００５】
また、タイマーＴ３１０が動作している間に、無線リンクの問題から回復できた場合、例えば、ユーザー機器が、物理層から連続した「同期」の通知を受け取った場合には、ユーザー機器はタイマーＴ３１０を停止する。連続した「同期」の通知回数は、設定可能な定数Ｎ３１１によって規定される。
【０００６】
ＲＲＣ接続再確立プロセスが開始されると、ユーザー機器は、セル選択の継続時間を制御するためにタイマーＴ３１１をスタートさせる。タイマーＴ３１１の設定時間が経過する前に、ユーザー機器がセル選択プロセスを完了できなかった場合、または、ユーザー機器によって選択されたセルが他の無線接続技術（ＲＡＴ）に属していた場合には、接続は回復不可能と判断され、ユーザー機器はＲＲＣアイドルモードに入る。ＲＬＦタイマーおよび定数の詳しい動作については、関係する技術規格で参照可能であるので、ここでは詳述しない。
【０００７】
現在の規格（３ＧＰＰ  ＴＳ  ３６．３３１  ｖ８．５．０、  「Ｅ‐ＵＴＲＡ  ＲＲＣ  プロトコル規格（リリース８）」）によれば、ＲＬＦ関連のタイマーおよび定数の設定は、システム情報送信を通じてネットワークにより伝達される。すなわち、あるセル内に位置する全てのユーザー機器は、同一のＲＬＦタイマーおよび定数を用いて設定される。
【０００８】
しかしながら、３ＧＰＰの会議の議事録Ｒ２−０９３８０２には、様々なサービス品質（ＱｏＳ）クラスおよび遅延要求を伴う幅広いサービスが展開されているセルにおいて、このようにＲＬＦ関連の全てのタイマーおよび定数に対して一つの設定を用いるのは最適でないと考えられることが述べられている。そこで、３ＧＰＰの会議の議事録Ｒ２−０９３８０３では、新たなＲＲＣパラメーター、すなわち、インフォメーションエレメント（ＩＥ）ｒｌｆ‐ＴｉｍｅｒｓＡｎｄＣｏｎｓｔａｎｔｓを使用して、各ユーザー機器のＲＬＦタイマーおよび定数をそれぞれ設定することが提案されている。ＩＥ  ｒｌｆ‐ＴｉｍｅｒｓＡｎｄＣｏｎｓｔａｎｔｓは、ＩＥ  ＲａｄｉｏＲｅｓｏｕｒｃｅＣｏｎｆｉｇＤｅｄｉｃａｔｅｄに含まれ、ＩＥ  ＲａｄｉｏＲｅｓｏｕｒｃｅＣｏｎｆｉｇＤｅｄｉｃａｔｅｄは、ＲＲＣ接続再設定（Ｃｏｎｎｅｃｔｉｏｎ  Ｒｅｃｏｎｆｉｇｕｒａｔｉｏｎ）メッセージで送信されて、ユーザー機器に固有のＲＲＣ設定が伝達される。
【０００９】
ユーザー機器が、例えば、ユニバーサル・モバイル・テレコミュニケーション・システム（ＵＭＴＳ）のような他の通信システムから、ＬＴＥシステムへと移動する場合、ユーザー機器は、例えば、エボルブド・ユニバーサル・テレストリアル・無線アクセス（Ｅ‐ＵＴＲＡ）プロセスへのハンドオーバーのような、ｉｎｔｅｒ‐ＲＡＴハンドオーバープロセスを実行する。ｉｎｔｅｒ‐ＲＡＴハンドオーバー（例えば、Ｅ‐ＵＴＲＡへのハンドオーバー）プロセスは、他の無線アクセス技術を持ちユーザー機器にＲＲＣ接続再設定メッセージを送信するネットワークによって実行され、ユーザー機器の再設定がおこなわれる。しかしながら、この規格で、議事録Ｒ２−０９３８０３に記載された提案が採用されるとすると、ＲＲＣ接続再設定メッセージがｉｎｔｅｒ‐ＲＡＴハンドオーバー（例えば、Ｅ‐ＵＴＲＡへのハンドオーバー）プロセスで受信される時、ユーザー機器は、タイマーＴ３１０、Ｔ３１１および定数Ｎ３１０、Ｎ３１１を設定するのに依然として初期値を使用することになっている。
【００１０】
この場合、ＲＲＣ接続再設定メッセージがＩＥ  ｒｌｆ‐ＴｉｍｅｒｓＡｎｄＣｏｎｓｔａｎｔｓを含んでいるとしても、システム性能に影響を及ぼすように、ｒｌｆ‐ＴｉｍｅｒｓＡｎｄＣｏｎｓｔａｎｔｓのユーザー機器に固有の設定を、ユーザー機器のＲＬＦタイマーおよび定数に適用することができない。したがって、この問題を解決する必要がある。
【発明の概要】
【発明が解決しようとする課題】
【００１１】
本発明は、上記の問題を解決するために、無線通信システムのユーザー機器において、ｉｎｔｅｒ‐ＲＡＴハンドオーバーを行う方法および装置を提供することを目的とする。
【課題を解決するための手段】
【００１２】
本発明によれば、無線通信システムのユーザー機器において、ｉｎｔｅｒ‐ＲＡＴハンドオーバーを行う方法を開示する。本発明に係る方法は、ユーザー機器を他の通信システムから無線通信システムへとハンドオーバーするハンドオーバープロセスを実行する段階と、ＲＲＣ接続再設定メッセージを受信する段階と、ＲＲＣ接続再設定メッセージが無線リンク障害タイマーおよび定数に対するユーザー機器に固有の設定パラメーターを含んでいるか否かに応じて、ユーザー機器の無線リンク障害タイマーおよび定数を設定する段階とを含む
【００１３】
また、本発明によれば、無線通信システムのユーザー機器において、ｉｎｔｅｒ‐ＲＡＴハンドオーバーを行う通信装置を開示する。本発明に係る通信装置は、プログラムを実行するプロセッサと、プロセッサと接続されプログラムを記憶するメモリとを備える。プログラムは、ユーザー機器を他の通信システムから無線通信システムへとハンドオーバーするハンドオーバープロセスを実行する段階と、ＲＲＣ接続再設定メッセージを受信する段階と、ＲＲＣ接続再設定メッセージが無線リンク障害タイマーおよび定数に対するユーザー機器に固有の設定パラメーターを含んでいるか否かに応じて、ユーザー機器の前記無線リンク障害タイマーおよび定数を設定する段階とを備える通信装置。
【００１４】
上記及びその他の本発明の目的は、下記の好ましい実施形態の記載及び図面を参照することにより、当業者に明らかになる。
【図面の簡単な説明】
【００１５】
【図１】無線通信システムの概略図である。
【図２】無線通信装置の機能ブロック図である。
【図３】図２のプログラムコードを示す図である。
【図４】本発明の実施例によるプロセスを示したフローチャートである。
【発明を実施するための形態】
【００１６】
図１は、無線通信システム１０の概略図である。無線通信システム１０は、好ましくはＬＴＥ無線通信システムであり、簡略的に示すと、一つのネットワーク及び複数のユーザー機器（ＵＥ）によって構成される。図１に示されるネットワーク及び複数のユーザー機器は、無線通信システム１０の構成を分かりやすく示すために使用されているに過ぎず、実際には、ネットワークは、必要に応じて設けられる複数の基地局（ノードＢ）や無線ネットワーク制御装置等から構成され、ユーザー機器は、携帯電話やコンピュータシステム等である。
【００１７】
図２は、無線通信システムにおける通信装置１００の機能ブロック図である。通信装置１００は、図１に示すユーザー機器またはネットワークを実現するのに利用することができる。簡略化のため、図２では、通信装置１００の入力装置１０２、出力装置１０４、制御回路１０６、中央処理装置（ＣＰＵ）１０８、メモリ１１０、プログラム１１２および送受信機ユニット１１４のみが示されている。通信装置１００では、制御回路１０６が、ＣＰＵ１０８を通じてメモリ１１０内のプログラムコード１１２を実行して、通信装置１００の動作を制御する。通信装置１００は、例えばキーボードのような入力装置１０２を通じてユーザーによって入力された信号を受信することができる。また、通信装置１００は、モニターまたはスピーカのような出力装置１０４を通じて画像や音を出力することができる。送受信機ユニット１１４は、無線信号を送信および受信するのに使用され、制御回路１０６に受信信号を供給し、また制御回路１０６で生成された信号を無線により出力する。通信プロトコルの構造の観点から見ると、送受信機ユニット１１４は第１層の一部とみなすことができ、制御回路１０６は、第２層および第３層を実現するのに利用することができる。
【００１８】
図３は、図２のプログラム１１２を示したものである。プログラム１１２は、アプリケーション層２００、第３層２０２及び第２層２０６を含み、第１層２１８に接続されている。第３層２０２は、無線リソース制御をおこなっている。第２層２０６は、無線リンク制御（ＲＬＣ）層および媒体アクセス制御（ＭＡＣ）層からなり、リンク制御を行う。第１層２１８は、物理的接続を行う。
【００１９】
ＬＴＥシステムにおいては、第３層２０２は、無線リンク障害関連の作用を制御するための無線リンク障害タイマーおよび定数を使用して設定される。動作の詳細については、従来技術で参照可能であり、ここではその説明を省略する。また、ネットワークは、ユーザー機器に固有の設定パラメーター、すなわち、Ｉｎｆｏｒｍａｔｉｏｎ  Ｅｌｅｍｅｎｔ（ＩＥ）ｒｌｆ‐ＴｉｍｅｒｓＡｎｄＣｏｎｓｔａｎｔｓを、ＲＲＣ接続再設定メッセージを通じてユーザー機器に送信し、各ユーザー機器のＲＬＦタイマーおよび定数をそれぞれ設定する。その結果、一つのセル内に位置する複数のユーザー機器は、様々なサービス品質および遅延要求に応えるように、無線リンク障害タイマーおよび定数の様々な設定を持つことが可能となる。
【００２０】
ユーザー機器が、例えば、ユニバーサル・モバイル・テレコミュニケーション・システム（ＵＭＴＳ）のような他の通信システムから、ＬＴＥシステムへと移動する場合、ユーザー機器は、例えば、Ｅ‐ＵＴＲＡプロセスへのハンドオーバーのような、ｉｎｔｅｒ‐ＲＡＴハンドオーバープロセスを実行する。ｉｎｔｅｒ‐ＲＡＴハンドオーバー（例えば、Ｅ‐ＵＴＲＡへのハンドオーバー）プロセスは、他の無線アクセス技術を持ちユーザー機器にＲＲＣ接続再設定メッセージを送信するネットワークによって実行され、ユーザー機器の再設定がおこなわれる。しかしながら、従来の技術では、ＲＲＣ接続再設定メッセージがＩＥ  ｒｌｆ‐ＴｉｍｅｒｓＡｎｄＣｏｎｓｔａｎｔｓを含んでいるとしても、ユーザー機器は、タイマーＴ３１０、Ｔ３１１および定数Ｎ３１０、Ｎ３１１を設定する際に常に初期値を使用しており、ユーザー機器に固有の設定を、ｉｎｔｅｒ‐ＲＡＴハンドオーバー（例えば、Ｅ‐ＵＴＲＡへのハンドオーバープロセスにおいて適用することができない。
【００２１】
このような状況の元、ユーザー機器に固有のＲＬＦタイマーおよび定数の設定が適用できないという上記の問題を解決するため、本発明の実施形態は、プログラム１１２に含まれ、ｉｎｔｅｒ‐ＲＡＴハンドオーバープロセスを効率的に実行しシステム性能を向上可能なｉｎｔｅｒ‐ＲＡＴハンドオーバーハンドリングプログラム２２０を提供する。
【００２２】
図４は、プロセス４０の概略図である。プロセス４０は、無線通信システム１０のユーザー機器において、ｉｎｔｅｒ‐ＲＡＴハンドオーバー行うのに利用され、ｉｎｔｅｒ‐ＲＡＴハンドオーバーハンドリングプログラム２２０にコンパイルすることができる。プロセス４０は、次のようなステップを含む。
ステップ４００：開始
ステップ４０２：ユーザー機器を他の通信システムから当無線通信システムへとハンドオーバーするハンドオーバープロセスを実行する。
ステップ４０４：ＲＲＣ接続再設定メッセージを受信する。
ステップ４０６：ＲＲＣ接続再設定メッセージが、無線リンク障害タイマーおよび定数に対するユーザー機器に固有の設定パラメーターを含んでいるか否かに応じて、ユーザー機器の無線リンク障害タイマーおよび定数を設定する。
ステップ４０８：終了
【００２３】
プロセス４０によれば、ユーザー機器は、他の通信システムから当無線通信システムへとユーザー機器をハンドオーバーするｉｎｔｅｒ‐ＲＡＴハンドオーバープロセスを実行する。ｉｎｔｅｒ‐ＲＡＴハンドオーバープロセスでは、ＲＲＣ接続再設定メッセージが受信されると、ＲＲＣ接続再設定メッセージが無線リンク障害タイマーおよび定数に対するユーザー機器に固有の設定パラメーターを含んでいるか否かに応じて、ユーザー機器のＲＬＦタイマーおよび定数を設定する。
【００２４】
本発明の実施形態では、ユーザー機器に固有の設定パラメーターは、ＩＥ  ｒｌｆ‐ＴｉｍｅｒｓＡｎｄＣｏｎｓｔａｎｔｓである。また、無線リンク障害タイマーおよび定数は、特にこれらに限定されないが、タイマーＴ３１０、タイマーＴ３１１、定数Ｎ３１０および定数Ｎ３１１であってもよい。
【００２５】
したがって、ＲＲＣ接続再設定メッセージが、ｉｎｔｅｒ‐ＲＡＴハンドオーバー（例えば、Ｅ‐ＵＴＲＡへのハンドオーバー）プロセスで受信されると、ユーザー機器は、最初に、ＲＲＣ接続再設定メッセージがＩＥ  ｒｌｆ‐ＴｉｍｅｒｓＡｎｄＣｏｎｓｔａｎｔｓを含んでいるかを判断する。
【００２６】
ＲＲＣ接続再設定メッセージがＩＥ  ｒｌｆ‐ＴｉｍｅｒｓＡｎｄＣｏｎｓｔａｎｔｓを含んでいる場合、ユーザー機器は、無線リンク障害タイマーおよび定数を設定するのにＩＥ  ｒｌｆ‐ＴｉｍｅｒｓＡｎｄＣｏｎｓｔａｎｔｓの値を使用する。反対に、ＲＲＣ接続再設定メッセージがＩＥ  ｒｌｆ‐ＴｉｍｅｒｓＡｎｄＣｏｎｓｔａｎｔｓを含んでいない場合、ユーザー機器は、ＲＬＦタイマーおよび定数を設定するのに初期値を使用する。
【００２７】
その結果、ユーザー機器は、ユーザー機器に固有の設定を、ｉｎｔｅｒ‐ＲＡＴハンドオーバー（例えば、Ｅ‐ＵＴＲＡへのハンドオーバー）プロセスにおける無線リンク障害タイマーおよび定数に直ちに適用することができる。したがって、ｉｎｔｅｒ‐ＲＡＴハンドオーバー（例えば、Ｅ‐ＵＴＲＡへのハンドオーバー）プロセスが完了した後に、ユーザー機器に固有の設定を送信するために更なるＲＲＣ接続再設定メッセージを必要としない。
【００２８】
要約すると、ＬＴＥシステムへのハンドオーバーに起因して、ユーザー機器がＲＲＣ接続再設定メッセージを受信すると、ＲＲＣ接続再設定メッセージにＩＥ  ｒｌｆ‐ＴｉｍｅｒｓＡｎｄＣｏｎｓｔａｎｔｓが含まれている場合、ユーザー機器は、ユーザー機器に固有の設定を無線リンク障害タイマーおよび定数に適用する。このようにすることで、本発明の実施形態では、無線リンク障害タイマーおよび定数を効率的に設定することができる。
【００２９】
本発明の教示するところを維持しながら、装置および方法に様々な改良および変更を加えることが可能であることは、当業者にとって明らかである。また、添付の特許請求の範囲を明確にするためにのみ、上述の実施形態は解釈されるべきである。
【図１】
2011010306.tif 000003
【図２】
2011010306.tif 000004
【図３】
2011010306.tif 000005
【図４】
2011010306.tif 000006
【外国語明細書】
2011010306.tif 000007
2011010306.tif 000008
2011010306.tif 000009
2011010306.tif 000010
2011010306.tif 000011
2011010306.tif 000012
2011010306.tif 000013
2011010306.tif 000014
2011010306.tif 000015
2011010306.tif 000016
2011010306.tif 000017
2011010306.tif 000018
2011010306.tif 000019
2011010306.tif 000020
2011010306.tif 000021
2011010306.tif 000022